(57)【要約】【課題】帯状ケーブルの変形を抑制可能な表示装置を提供する。【解決手段】表示装置１００には、指針表示部１０の前面方向に配置された表示パネル１２０により画像表示部２０が形成されている。表示装置１００は、制御基板１０６、帯状ケーブル１５０、およびケーシング１６０を備えている。制御基板１０６は、表示パネル１２０に画像を表示させる表示信号を出力する。帯状ケーブル１５０は、表示パネル１２０と制御基板１０６とを電気的に接続している。帯状ケーブル１５０は、可撓性の帯状に形成されている。ケーシング１６０は、表示パネル１２０を保持している。ケーシング１６０は、基板支持部１６３、および挟持部１６７を有している。基板支持部１６３は、帯状ケーブル１５０の一面側に配置されている。挟持部１６７は、基板支持部１６３との間に帯状ケーブル１５０を挟持している。【選択図】図２
2019112032.tif 000002
【特許請求の範囲】
【請求項１】
情報を表示する第一表示部（１０）と、
前記第一表示部の前面方向に配置されて画像を表示する表示パネル（１２０）により形成された第二表示部（２０）と、
前記第一表示部の背面方向に配置されて前記表示パネルに画像を表示させる表示信号を出力する信号出力部（１０６）と、
可撓性の帯状に形成されて前記表示パネルと前記信号出力部とを電気的に接続する帯状ケーブル（１５０）と、
前記帯状ケーブルの一面側に配置された支持部（１６３）と、前記支持部との間に前記帯状ケーブルを挟持する挟持部（１６７）と、を有し前記表示パネルを保持するケーシング（１６０）と、を備える表示装置（１００）。
【請求項２】
前記表示パネルの前記背面方向に位置する背面部材（１４１）を備え、
前記挟持部は、前記支持部との間に、前記帯状ケーブルに加えて前記背面部材を挟持する請求項１に記載の表示装置。
【請求項３】
前記表示パネルを前記背面方向から照明する照明ユニット（１４０）を備え、
前記挟持部は、前記照明ユニットに含まれる照明基板（１４１）を前記背面部材として挟持している請求項２に記載の表示装置。
【請求項４】
前記帯状ケーブルは、前記表示パネルにおける前記画像の表示に用いられる素子（１５４）を実装されている素子実装区間（１５５）と、前記素子実装区間よりも剛性の低いケーブル区間（１５８）と、を有し、
前記挟持部は、前記帯状ケーブルのうち前記素子実装区間を挟持している請求項１〜３のいずれか１項に記載の表示装置。
【請求項５】
前記帯状ケーブルは、前記表示パネルにおける前記画像の表示に用いられる素子を実装されている素子実装区間（１５５）と、前記素子実装区間よりも剛性の低いケーブル区間（１５８）と、を有し、
前記挟持部は、前記帯状ケーブルのうち前記素子実装区間を前記背面部材の表面に沿わせる姿勢で挟持している請求項２または３に記載の表示装置。
【請求項６】
前記挟持部は、前記素子実装区間のうち前記背面方向の背面端（１５７）よりも前記前面方向の前面端（１５６）に近い位置を挟持している請求項４または５に記載の表示装置。
【発明の詳細な説明】
【技術分野】
【０００１】
本開示は、表示装置に関する。
【背景技術】
【０００２】
特許文献１には、指針計器、および液晶パネルを有する車両用の表示装置が開示されている。液晶パネルは、指針計器の前面側に配置されて画像を表示する。液晶パネルは、可撓性のリードワイヤにより、指針計器の背面側に配置されたプリント基板と電気的に接続されている。液晶パネルは、プリント基板に実装された制御装置に駆動されて画像を表示する。
【先行技術文献】
【特許文献】
【０００３】
【特許文献１】特開２００７−１１４７３５号公報
【発明の概要】
【発明が解決しようとする課題】
【０００４】
このように、画像の表示パネルには、画像を表示させるための信号を出力する信号出力部として制御装置を実装されたプリント基板などが接続される。表示パネルと信号出力部とを接続するためのリードワイヤには、帯状に形成されたフレキシブルプリント基板などによる帯状ケーブルが用いられる場合がある。帯状ケーブルは、振動などにより厚さ方向に変形するおそれがあった。
【０００５】
本開示は、帯状ケーブルの変形を抑制可能な表示装置の提供を目的とする。
【課題を解決するための手段】
【０００６】
上記目的は独立請求項に記載の特徴の組み合わせにより達成され、また、下位請求項は、本開示の更なる有利な具体例を規定する。特許請求の範囲に記載した括弧内の符号は、一つの態様として後述する実施形態に記載の具体的手段との対応関係を示すものであって、本開示の技術的範囲を限定するものではない。
【０００７】
上記目的を達成するための本開示の表示装置は、情報を表示する第一表示部（１０）と、第一表示部の前面方向に配置されて画像を表示する表示パネル（１２０）により形成された第二表示部（２０）と、第一表示部の背面方向に配置されて表示パネルに画像を表示させる表示信号を出力する信号出力部（１０６）と、可撓性の帯状に形成されて表示パネルと信号出力部とを電気的に接続する帯状ケーブル（１５０）と、帯状ケーブルの一面側に配置された支持部（１６３）と、支持部との間に帯状ケーブルを挟持する挟持部（１６７）と、を有し表示パネルを保持するケーシング（１６０）と、を備える。
【０００８】
以上の構成によれば、帯状ケーブルは、一面側に配置されている支持部と、他面側に配置されている挟持部との間で挟持されている。従って帯状ケーブルは、厚さ方向の変形を抑制されている。
【図面の簡単な説明】
【０００９】
【図１】表示装置の外観を示す図である。
【図２】図１のＩＩ−ＩＩ線断面図である。
【図３】画像表示ユニットの構成部材を示す図である。
【図４】画像表示ユニットの構成を示す図である。
【図５】表示パネルと帯状ケーブルの接続関係を示す図である。
【図６】表示パネルおよび帯状ケーブルを保持しているケーシングを示す図である。
【図７】ケーシングに保持されている帯状ケーブルを引込方向に見た図である。
【図８】照明基板およびプリズムを保持しているケーシングを示す図である。
【図９】ケーシングに保持されている照明基板を引込方向に見た図である。
【図１０】図７のＸ−Ｘ線断面図である。
【図１１】帯状ケーブルの組み付け途中の状態を示す図である。
【図１２】変形例１における挟持部を示す図である。
【図１３】図１２のＸＩＩＩ−ＸＩＩＩ線断面図である。
【発明を実施するための形態】
【００１０】
以下、本開示の実施形態による表示装置１００を図面に基づいて説明する。表示装置１００は、図１に示すように、車両で用いられるコンビネーションメータである。表示装置１００は、車両のインストルメントパネルにドライバから視認可能に配置される。表示装置１００には、指針表示部１０、および画像表示部２０が形成されている。指針表示部１０は、図１および図２に示す文字板１０１、および指針１０２により形成されている領域であって、車両の速度などの変動する数値を表示する領域である。画像表示部２０は、画像表示ユニット１１０により指針表示部１０の中央付近に形成されている領域であって、ドアの開閉状態などの車両に関する状況を示す画像を表示する領域である。これ以降、文字板１０１に垂直な方向であって、ドライバが位置することとなる方向を前面方向とし、ドライバと反対方向を背面方向として説明する。表示装置１００は、カバーガラス１０３、見返し１０４、本体ケース１０５、および制御基板１０６を、上述した文字板１０１、指針１０２、および画像表示ユニット１１０に加えて備えている。
【００１１】
カバーガラス１０３は、透光性の樹脂材料により曲板状に形成されている。カバーガラス１０３は、文字板１０１、指針１０２、および画像表示ユニット１１０の前面方向に位置している。カバーガラス１０３は、ドライバからの見た目上で指針表示部１０および画像表示部２０を覆っている。
【００１２】
見返し１０４は、黒色に着色されたポリプロピレン樹脂やＡＢＳ樹脂などの遮光性の樹脂材料により前面方向に沿って延伸する筒状に形成されている。見返し１０４は、文字板１０１とカバーガラス１０３との間に位置している。見返し１０４は、カバーガラス１０３を支持している。見返し１０４は、ドライバからの見た目上で指針表示部１０を囲っている。
【００１３】
本体ケース１０５は、遮光性の樹脂材料により中空形状に形成されている。本体ケース１０５は、文字板１０１および見返し１０４の背面方向に位置している。本体ケース１０５は、文字板１０１および見返し１０４を支持している。本体ケース１０５は、内側に制御基板１０６を収容している。
【００１４】
制御基板１０６は、絶縁基材、回路パターン、および電子部品などによって形成されている板状の部材である。絶縁基材は、樹脂やセラミックスなどの絶縁材料により平板状に形成されている。回路パターンは、銅などの導電性材料により絶縁基材の表面または内部に形成されている配線である。電子部品は、回路パターンに接続されて回路パターンと共に電子回路を形成するためのコネクタ、ＩＣ、キャパシタなどの各種の部品である。制御基板１０６に設けられている電子部品は、ＧＰＵなどの描画処理を行うプロセッサ、ＲＯＭなどの画像データなどを記憶した記憶媒体、および信号を出力する出力コネクタを含んでいる。プロセッサは、記憶媒体に記憶された画像データなどを用いて画像表示ユニット１１０に表示させる画像を描画する。出力コネクタは、プロセッサで描画された画像を画像表示ユニット１１０に表示させる表示信号を出力する。表示信号は、例えば描画された画像を構成する各画素の輝度を示す信号である。
【００１５】
また制御基板１０６に設けられている電子部品は、表示装置１００の外部から車両情報を入力される入力コネクタ、文字板１０１などを照明する光源、および指針１０２を回動させる駆動装置などを含んでいる。
【００１６】
文字板１０１は、ポリカーボネート樹脂やアクリル樹脂などの透光性の樹脂材料により板状に形成されている。文字板１０１には、数字および目盛などが印刷などにより形成されている。文字板１０１には、指針１０２および画像表示ユニット１１０を配置するための開口がそれぞれ形成されている。
【００１７】
指針１０２は、樹脂材料などにより形成されている。指針１０２は、前面方向に沿って延伸する略円柱状に形成された軸部と、軸部から文字板１０１に沿って延伸する針状の指示部とを有している。指針１０２は、軸部まわりに回動することにより、指示部で文字板１０１を指示する。指針１０２に指示されている位置と数字および目盛との位置関係により、指針表示部１０で表示される数値の現在値がドライバに視認される。
【００１８】
画像表示ユニット１１０は、文字板１０１および指針１０２の前面方向に配置されている。画像表示ユニット１１０は、ドライバからの見た目上で指針１０２の軸部を覆っている。画像表示ユニット１１０により、指針表示部１０の中央付近において文字板１０１および指針１０２よりも前面方向に飛び出して浮島状を呈する画像表示部２０が形成されている。画像表示ユニット１１０は、図３および図４に示すように、表示パネル１２０、加飾部材１３０、照明ユニット１４０、帯状ケーブル１５０、およびケーシング１６０を有している。
【００１９】
表示パネル１２０は、図４および図５に示すように、画像を表示する略円板状の部材である。表示パネル１２０は、例えば薄膜トランジスタ（Thin Film Transistor、ＴＦＴ）を用いたアクティブマトリクス型の液晶パネルである。表示パネル１２０は、両面をそれぞれ前面方向および背面方向に向ける姿勢である。表示パネル１２０は、指針１０２（図２参照）の前面方向に位置している。表示パネル１２０には、表示領域１２１、および縁部１２２が形成されている。
【００２０】
表示領域１２１は、表示パネル１２０のうち、複数の画素が二次元に配列された状態で形成されている領域である。表示領域１２１を背面方向に見た形状は、例えば中心角２８０〜２９０度の円弧と、円弧の両端を結ぶ直線からなる略円形である。これ以降、表示パネル１２０の両面に沿った方向であって、表示領域１２１の中心から、外周の直線部分の中心に向かう方向を引出方向として説明する。また、引出方向の逆方向を引込方向として説明する。表示領域１２１の各画素は、光の透過率の変更によって見た目の輝度を変更可能である。表示領域１２１は、各画素における見た目の輝度を表示する画像に対応した輝度に変化させることにより、画像を表示している状態となる。
【００２１】
縁部１２２は、表示パネル１２０に帯状ケーブル１５０を接続するため端子、および表示領域１２１の各画素の制御に用いられる回路を形成されている領域である。縁部１２２は、表示領域１２１から引出方向に延びる配置である。縁部１２２は、表示領域１２１の外周の直線部分に沿った帯状に形成されている。縁部１２２には、各画素の制御に用いられる回路として、例えばＴＦＴを用いたソースドライバ回路などが形成されている。
【００２２】
加飾部材１３０は、図３および図４に示すように、表示パネル１２０の前面および外周面を覆って画像表示ユニット１１０を装飾する部材である。加飾部材１３０は、装飾リング１３１、およびレンズ１３２を含んでいる。
【００２３】
装飾リング１３１は、遮光性の樹脂材料により、略円筒状に形成されている。装飾リング１３１は、表示パネル１２０の外周面を囲って前面方向に沿って延伸している。
【００２４】
レンズ１３２は、透光性の樹脂材料により円板状に形成されている。レンズ１３２は、表示パネル１２０の前面方向を向いた面を覆っている。レンズ１３２の両面のうち前面方向を向いた一面の外周には、遮光性の印刷がリング状に施されている。
【００２５】
照明ユニット１４０は、表示パネル１２０の背面方向に位置する。照明ユニット１４０は、表示パネル１２０を照明するバックライトである。照明ユニット１４０は、照明基板１４１、プリズム１４２、反射シート１４３、集光シート１４４、および拡散シート１４５を含んでいる。
【００２６】
照明基板１４１は、制御基板１０６と同様に絶縁基材に回路パターン及び電子部品を設けることによって電子回路を形成されている略矩形板状の部材である。照明基板１４１には、電子部品として発光ダイオードなどの光源が設けられている。照明基板１４１は、縁部１２２の背面方向に配置されている。照明基板１４１の両面のうち光源を設けられた面は、引込方向を向いている。照明基板１４１は、可撓性のケーブル１０７により制御基板１０６と電気的に接続されている。照明基板１４１に設けられた光源は、引込方向へ光を射出する。
【００２７】
プリズム１４２は、透光性の樹脂材料により略円板状に形成されている。プリズム１４２の両面は、それぞれ前面方向および背面方向を向いている。プリズム１４２は、表示パネル１２０の背面方向に配置されている。プリズム１４２は、外周面の一部を照明基板１４１に設けられた光源と対向させる配置である。プリズム１４２は、外周面に照明基板１４１に設けられた光源から入射した光を、主として前面方向を向く面から射出する。
【００２８】
反射シート１４３は、白色に着色された樹脂材料などにより略円形の薄膜状に形成されている。反射シート１４３は、プリズム１４２の両面のうち背面方向を向いた面に沿って配置されている。反射シート１４３は、プリズム１４２から射出される光のうち背面方向を向いた面から射出された光をプリズム１４２に向けて反射する。
【００２９】
集光シート１４４は、透光性の樹脂材料により略円形の薄膜状に形成されている。集光シート１４４は、プリズム１４２の両面のうち前面方向を向いた面に沿って配置されている。集光シート１４４は、表面に形成されたマイクロレンズにより、背面方向に対して傾斜して背面方向を向く面から入射した光を、前面方向に沿わせて前面方向を向く面から射出する。集光シート１４４の前面方向を向く面から射出される光は、前面方向に沿って集光された状態となる。
【００３０】
拡散シート１４５は、透光性の樹脂材料により略円形の薄膜状に形成されている。拡散シート１４５は、集光シート１４４の両面のうち前面方向を向いた面に沿って配置されている。拡散シート１４５は、表面に形成された凹凸により、背面方向を向く面から入射した光を、拡散しつつ前面方向を向く面から射出する。前面方向を向く面から射出される拡散された光により、表示パネル１２０の全体が実質的に均等に照明される。
【００３１】
帯状ケーブル１５０は、フレキシブルプリント基板によって帯状に形成されている可撓性を有するケーブルである。フレキシブルプリント基板は、薄膜状のポリイミド樹脂などによる絶縁フィルムに薄膜状の銅などによる配線を設けた可撓性の配線基板である。帯状ケーブル１５０は、照明基板１４１よりも引出方向において前面方向に沿って延伸している。帯状ケーブル１５０は、両面のうち一面を引込方向に向け、他面を引出方向に向けている。帯状ケーブル１５０の両端のうち前面方向のパネル端１５１は、表示パネル１２０の縁部１２２に接続されている。パネル端１５１付近において帯状ケーブル１５０は弾性的に変形し、引込方向に湾曲した状態である。湾曲した部分の復元力により、帯状ケーブル１５０の前面方向に延伸する部分は引出方向の力を受ける。帯状ケーブル１５０の両端のうち背面方向の基板端１５２は、制御基板１０６に実装された出力コネクタに接続されている。帯状ケーブル１５０は、表示パネル１２０と制御基板１０６とを電気的に接続している。
【００３２】
ケーシング１６０は、遮光性の樹脂材料により形成されている。ケーシング１６０は、表示パネル１２０、加飾部材１３０、および照明ユニット１４０を保持している。ケーシング１６０は、図６に示すように、パネル収容部１６１、基板支持部１６３、および支柱部１６６を有している。
【００３３】
パネル収容部１６１は、図６および図７に示すように、略有底円筒状に形成されている。パネル収容部１６１は、開口を前面方向に向ける姿勢で配置されている。パネル収容部１６１は、内側に表示パネル１２０などを収容している。パネル収容部１６１の側壁は、表示領域１２１の外周の円弧状の部分を囲うように形成されている。パネル収容部１６１のうち縁部１２２の引出方向に位置する部分には、側壁の設けられていない部分である引出部１６２が形成されている。縁部１２２に接続された帯状ケーブル１５０は、引出部１６２を通じてパネル収容部１６１の外側に引き出されている。照明ユニット１４０のうち照明基板１４１は、引出部１６２に配置されている。
【００３４】
基板支持部１６３は、図８および図９に示すように板状に形成されている。両面を引出方向および引込方向に向ける姿勢である。基板支持部１６３は、パネル収容部１６１の底板の背面方向を向いた面に接続されている。基板支持部１６３は、照明基板１４１および帯状ケーブル１５０の引込方向に位置している。すなわち、基板支持部１６３は帯状ケーブルの一面側に配置されている。基板支持部１６３は、照明基板１４１の引込方向を向いた面と接触している。基板支持部１６３には、段差部１６４、および凹部１６５が形成されている。
【００３５】
段差部１６４は、基板支持部１６３の引出方向を向いた面から、引出方向に向けて照明基板１４１を囲うように突出した凸部である。段差部１６４に挟まれることにより、照明基板１４１はケーシング１６０に対して位置決めされている。
【００３６】
凹部１６５は、基板支持部１６３の引出方向を向いた面に形成されている。凹部１６５は、照明基板１４１との間に照明基板１４１に実装された電子部品を収容している。
【００３７】
支柱部１６６は、前面方向に沿って延伸する柱状に形成されている。支柱部１６６の前面方向の一端は、パネル収容部１６１に接続されている。支柱部１６６は、基板支持部１６３よりも引込方向に配置されている。支柱部１６６の背面方向の一端は、ネジなどによって本体ケース１０５（図４参照）に固定されている。
【００３８】
本実施形態の表示装置１００における帯状ケーブル１５０には、図４および図５に示すように、補強プレート１５３および素子１５４が設けられている。帯状ケーブル１５０は、素子実装区間１５５と、ケーブル区間１５８とを有している。また、素子実装区間１５５を有する帯状ケーブル１５０の保持のため、ケーシング１６０は挟持部１６７をさらに有している。
【００３９】
補強プレート１５３は、樹脂材料などにより矩形板状に形成されている。補強プレート１５３は、帯状ケーブル１５０の両面のうち引込方向を向いた一面に貼り付けられている。補強プレート１５３は、帯状ケーブル１５０の延伸方向および幅方向に各辺を沿わせる姿勢である。
【００４０】
素子１５４は、帯状ケーブル１５０に複数実装されている電子部品である。素子１５４は、表示パネル１２０に画像を表示させる制御に用いられる。素子１５４として実装される電子部品は、例えばタイミングコントローラＩＣ、キャパシタなどである。素子１５４は、例えば縁部１２２に形成された回路と合わせて、各画素に印加する電圧を変更し透過率を制御する機能を発揮している。素子１５４は、帯状ケーブル１５０の両面のうち引出方向を向いた他面に実装されている。素子１５４は、引出方向に見て補強プレート１５３に覆われる配置である。素子１５４は、絶縁性の樹脂材料により形成されたフィルムにより帯状ケーブル１５０および補強プレート１５３と共に覆われている。
【００４１】
素子実装区間１５５は、帯状ケーブル１５０の延伸方向における中間部分の区間であって、補強プレート１５３を貼り付けられている区間である。素子実装区間１５５の延伸方向に沿った寸法は、例えば約２０ｍｍである。素子実装区間１５５における帯状ケーブル１５０の幅方向に沿った寸法は、例えば約２０ｍｍである。素子実装区間１５５における実質的な剛性は、補強プレート１５３により補強されて帯状ケーブル１５０単独の剛性よりも高い状態である。素子実装区間１５５の両端のうち前面方向の前面端１５６は、引込方向に見て補強プレート１５３の前面方向の縁と重なっている。素子実装区間１５５の両端のうち背面方向の背面端１５７は、引込方向に見て補強プレート１５３の背面方向の縁と重なっている。素子１５４が実装されている位置は、素子実装区間１５５に含まれている。素子実装区間１５５の背面端１５７は、文字板１０１よりも背面方向に位置する。素子実装区間１５５の延伸方向における中央は、文字板１０１よりも前面方向に位置する。
【００４２】
ケーブル区間１５８は、帯状ケーブル１５０のうち補強プレート１５３を貼り付けられていない区間である。故にケーブル区間１５８の剛性は、素子実装区間１５５の実質的な剛性よりも相対的に低い。ケーブル区間１５８は、素子実装区間１５５の前面方向および背面方向にそれぞれ形成されている。すなわちケーブル区間１５８は、帯状ケーブル１５０のうち、パネル端１５１から前面端１５６までの区間、および背面端１５７から基板端１５２までの区間である。ケーブル区間１５８のうちパネル端１５１から前面端１５６までの区間における幅方向の寸法は、素子実装区間１５５よりも小さくなっている。
【００４３】
挟持部１６７は、図１０に示すように、段差部１６４から引出方向に突出し、照明基板１４１および帯状ケーブル１５０の引出方向に位置する突起部である。挟持部１６７は、図６および図７に示すように、照明基板１４１および帯状ケーブル１５０を部分的に覆う一対の爪状を呈している。具体的には、各挟持部１６７は、帯状ケーブル１５０の幅方向に沿って対向する配置である。各挟持部１６７の視認方向に沿った寸法は、例えば２〜３ｍｍである。各挟持部１６７は、素子実装区間１５５のうち、延伸方向における中央よりも前面端１５６に近い位置のみを覆っている。各挟持部１６７は、それぞれ帯状ケーブル１５０を幅方向の両端付近を部分的に覆っている。帯状ケーブル１５０と各挟持部１６７との幅方向に沿った重なり長さは、例えばそれぞれ１〜２ｍｍである。
【００４４】
各挟持部１６７は、帯状ケーブル１５０の他面に接触している。各挟持部１６７は、帯状ケーブル１５０および照明基板１４１を挟んで基板支持部１６３と対向する配置である。故に各挟持部１６７は、帯状ケーブル１５０および照明基板１４１を、基板支持部１６３との間に挟持している。各挟持部１６７は、帯状ケーブル１５０のうち、素子実装区間１５５の前面端１５６を挟持している。挟持部１６７に挟持されている素子実装区間１５５は、図４および図７に示すように照明基板１４１の引出方向を向いた面に沿った姿勢である。挟持部１６７は、図４に示すように、文字板１０１から前面方向に離間した位置に形成されている。
【００４５】
各挟持部１６７と基板支持部１６３との間への帯状ケーブル１５０の挟み込み方法の例を図６および図１１を用いて説明する。帯状ケーブル１５０は、配置工程、および圧入工程により各挟持部１６７に挟持された状態となる。配置工程では、表示パネル１２０に接続されている帯状ケーブル１５０が、引出部１６２を通じてパネル収容部１６１の外側に引き出され、照明基板１４１に沿って背面方向に延伸する姿勢で配置される。帯状ケーブル１５０の配置にあたり、各挟持部１６７の間には、ケーブル区間１５８のうちパネル端１５１から前面端１５６までの区間が配置される。また帯状ケーブル１５０の配置にあたり、素子実装区間１５５は、各挟持部１６７から背面方向に離間した位置に配置される。
【００４６】
圧入工程では、配置工程で各挟持部１６７の背面方向に配置した素子実装区間１５５が、照明基板１４１に沿って前面方向に移動される。前面方向への移動により、素子実装区間１５５は、図６に示すように挟持部１６７と照明基板１４１との間に圧入される。以上の工程により、帯状ケーブル１５０のうち素子実装区間１５５が、各挟持部１６７により挟持された状態となる。
【００４７】
［実施形態のまとめ］
以上、説明した実施形態によれば、帯状ケーブル１５０は、引込方向に配置されている基板支持部１６３と、引出方向に配置されている挟持部１６７との間で挟持されている。従って、帯状ケーブル１５０は、車両の振動や復元力が加わる場合であっても、引込方向および引出方向への変形、すなわち厚さ方向の変形を抑制される。また本実施形態では、帯状ケーブル１５０は、表示パネル１２０の表示の制御に用いられる素子１５４を実装されている。故に帯状ケーブル１５０の変形の抑制により、帯状ケーブル１５０に実装されている素子１５４の厚さ方向の移動が抑制される。従って、文字板１０１などの指針表示部１０を構成する部材に対する素子１５４の衝突が抑制される。
【００４８】
また本実施形態では、照明基板１４１は、基板支持部１６３と挟持部１６７との間に挟持されることにより、引込方向および引出方向への移動を抑制されている。故に、ケーシング１６０は、引込方向および引出方向について照明基板１４１の移動を抑制するための構成を追加で設けることなく、照明基板１４１を固定しうる。従って、表示装置１００の構成が簡素化されうる。
【００４９】
加えて本実施形態では、帯状ケーブル１５０のうち、補強プレート１５３により補強されている素子実装区間１５５が挟持部１６７により挟持されている。故に、素子実装区間１５５よりも剛性の低いケーブル区間１５８を挟持部１６７に挟持される場合と比較して、素子１５４を移動させる変形が帯状ケーブル１５０に生じにくい。従って、素子１５４の衝突がより抑制される。
【００５０】
さらに本実施形態では、素子実装区間１５５は、照明基板１４１の表面に沿って延伸する姿勢で挟持部１６７に挟持されている。故に帯状ケーブル１５０には、素子実装区間１５５が引込方向に移動する変形が生じにくい。従って、より素子１５４の衝突が抑制される。
【００５１】
本実施形態では、挟持部１６７は素子実装区間１５５のうち前面端１５６に近い位置を挟持している。この結果、挟持部１６７が背面端１５７に近い位置を挟持している場合と比較して、素子実装区間１５５の前面端１５６からパネル端１５１まで伸びるケーブル区間１５８における変形が抑制される。従って、帯状ケーブル１５０と表示パネル１２０と間の接続箇所に力が加わりにくい。
【００５２】
また本実施形態では、素子実装区間１５５のうち前面端１５６に近い位置が挟持部１６７により挟持されている。一方、素子実装区間１５５のうち背面端１５７に近い位置は挟持部１６７により挟持されていない。故に、素子実装区間１５５の中央よりも背面方向におけるケーシング１６０の引出方向への突出が抑制される。従ってケーシング１６０は、素子実装区間１５５の中央よりも背面方向に配置されて指針表示部１０を形成している文字板１０１と接触しにくい。
【００５３】
本実施形態においては、指針表示部１０が「第一表示部」に相当し、画像表示部２０が「第二表示部」に相当する。また制御基板１０６が「信号出力部」に、照明基板１４１が「背面部材」に、基板支持部１６３が「支持部」に相当する。
【００５４】
＜他の実施形態＞
以上、本開示の実施形態を説明したが、本開示は上述の実施形態に限定されるものではなく、次の変形例も本開示の技術的範囲に含まれ、さらに、下記以外にも要旨を逸脱しない範囲内で種々変更して実施できる。なお、以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００５５】
＜変形例１〜４＞
上述の実施形態に関する変形例１における挟持部１６７は、図１２および図１３に示すように、段差部１６４から幅方向に延びる帯板状に形成されている。挟持部１６７は、照明基板１４１および帯状ケーブル１５０を幅方向全体にわたって覆っている。また変形例１の挟持部１６７の先端は、係合部１６８の引込方向に押し込まれることにより引出方向への移動を抑制されている。
【００５６】
変形例２における挟持部１６７は、素子実装区間１５５のうち背面端１５７に近い位置を覆っている。変形例３における挟持部１６７は、帯状ケーブル１５０のうちケーブル区間を覆っている。変形例４における各挟持部１６７は、一方に対して他方が前面方向または背面方向にずれた位置関係となるように形成されている。変形例１〜４においても、挟持部１６７は照明基板１４１および帯状ケーブル１５０を基板支持部１６３との間に挟持可能である。
【００５７】
＜変形例５＞
上述の実施形態に関する変形例５における表示装置１００は、表示パネル１２０として有機ＥＬなどによる自ら発光する画素を形成された表示部材を用い、照明ユニット１４０を有していない。またケーシング１６０は基板支持部１６３を有していない。変形例５においては、挟持部１６７は帯状ケーブル１５０を支柱部１６６との間に挟持している。変形例５においても、素子１５４の文字板１０１などに対する衝突が抑制される。変形例５においては支柱部１６６が「支持部」に相当する。
【００５８】
＜変形例６＞
上述の実施形態に関する変形例６における帯状ケーブル１５０は、素子１５４を実装されていない。変形例６においても、帯状ケーブル１５０は挟持部１６７により挟持されて変形を抑制される。
【符号の説明】
【００５９】
１０：第一表示部、  ２０：第二表示部、  １００：表示装置、  １０６：制御基板（信号出力部）、  １１０：表示パネル、  １４０：照明ユニット、  １４１：照明基板（背面部材）、  １５０：帯状ケーブル、  １５４：素子、  １５５：素子実装区間、  １５６：前面端、  １５７：背面端、  １５８：ケーブル区間、  １６０：ケーシング、  １６３：基板支持部（支持部）、  １６７：挟持部
【図１】
2019112032.tif 000003
【図２】
2019112032.tif 000004
【図３】
2019112032.tif 000005
【図４】
2019112032.tif 000006
【図５】
2019112032.tif 000007
【図６】
2019112032.tif 000008
【図７】
2019112032.tif 000009
【図８】
2019112032.tif 000010
【図９】
2019112032.tif 000011
【図１０】
2019112032.tif 000012
【図１１】
2019112032.tif 000013
【図１２】
2019112032.tif 000014
【図１３】
2019112032.tif 000015